(57)【要約】【課題】カメラのマウントロック装置においてロック解除ボタンの誤操作を防止する。【解決手段】カメラ本体１０の正面中央に突状外装部１２を突設し、突状外装部１２に円環状のマウント板１６を嵌合固定する。ロック解除ボタン１０６は、撮影レンズユニットを所定位置で係止するためのマウントロックピン１０２と、オートフォーカス用のレンズ駆動ピン１０４とを連結面１６ｂから退避させる。ロック解除ボタン１０６は突状外装部１２の外周側面であってかつ突状外装部１２におけるマウント板１６のレンズ光軸から最も水平距離の遠い部位よりもレンズ光軸側に位置し、その操作方向はレンズ光軸Ｌに略垂直である。【選択図】        図１
2004219462.tif 000002
【特許請求の範囲】
【請求項１】
カメラ本体の正面部のほぼ中央に突設される突状外装部と、この突状外装部に嵌められ撮影レンズユニットが着脱自在な円環状のマウント板と、このマウント板の連結面から突出する方向に付勢され前記撮影レンズユニットを所定位置で係止するためのマウントロックピンと、前記マウントロックピンを前記連結面から退避させる方向に駆動するためのロック解除ボタンとを備え、このロック解除ボタンが、前記突状外装部の外周側面であってかつ前記突状外装部のレンズ光軸から最も水平距離の遠い部位よりもレンズ光軸側に配されることを特徴とするカメラのマウントロック装置。
【請求項２】
前記ロック解除ボタンの操作方向が、前記撮影レンズユニットの光軸に直交する平面に平行であることを特徴とする請求項１に記載のカメラのマウントロック装置。
【請求項３】
前記ロック解除ボタンが、リンク機構を介してオートフォーカス用のレンズ駆動ピンに連結されることを特徴とする請求項１に記載のカメラのマウントロック装置。
【請求項４】
前記リンク機構が、オートフォーカスモードまたはマニュアルフォーカスモードのいずれか一方に切換える切換手段を備えることを特徴とする請求項１に記載のカメラのマウントロック装置。
【請求項５】
カメラ本体の正面部のほぼ中央に突設される突状外装部と、この突状外装部に嵌められ撮影レンズユニットが着脱自在な円環状のマウント板と、このマウント板の連結面から突出する方向に付勢され前記撮影レンズユニットを所定位置で係止するためのマウントロックピンと、前記マウントロックピンを前記連結面から退避させる方向に駆動するためのロック解除ボタンとを有するマウントロック機構を備え、このロック解除ボタンが、前記突状外装部の外周側面であってかつ前記突状外装部のレンズ光軸から最も水平距離の遠い部位よりもレンズ光軸側に配されることを特徴とするカメラ。
【発明の詳細な説明】
【０００１】
【発明の属する技術分野】
本発明は、レンズ交換式のカメラに関し、特にそのマウントロック機構に関するものである。
【０００２】
【従来の技術】
従来、例えば特許文献１に示されるように、カメラ本体に撮像レンズユニットをバヨネット式で交換可能に連結するカメラにおいて、カメラ本体の正面に組付けられた前飾り部材の円環状連結面からマウントロックピンを突出させて撮像レンズユニットに係合させることにより撮像レンズユニットの回転や脱落を防止するマウントロック装置が設けられる。マウントロック装置は、撮像レンズユニットの着脱時にマウントロックピンを連結面から退避させるためのロック解除ボタンを備えており、このロック解除ボタンは前飾り部材の側面に設けられ、光軸方向に押圧されることによってマウントロックピンを連動して光軸方向に沿って退避させる。
【０００３】
しかしながら、近年カメラが小型化される傾向にある一方撮影レンズユニットの互換性を保つために前飾り部材の大きさは変更できないため、小型化に伴ってカメラ本体の側方に設けた把持部位であるグリップ部材と前飾り部材側面のロック解除ボタンとの距離が短くなって、ロック解除ボタンに指が掛かり易くなり、ロック解除ボタンの誤操作を招くという問題が生じる。特に、引用文献１のような光軸方向に押圧するタイプのロック解除ボタンでは、その操作方向とカメラを把持するときに指で押圧する方向とが一致するため、誤操作が生じやすく撮影レンズユニットの位置ずれや脱落を招くという問題があった。またカメラを小型化するにあたり、ロック解除ボタンが把持部をつかむ手に当たって操作者に不快感を与えるという問題があった。
【０００４】
【特許文献１】
特開平１０−９０７７３号公報（第３−４頁、図１）
【０００５】
【発明が解決しようとする課題】
本発明は上記問題点に鑑みて成されたものであり、カメラのマウントロック装置においてロック解除ボタンの誤操作を防止することが課題である。
【０００６】
【課題を解決するための手段】
本発明に係るカメラのマウントロック装置は、カメラ本体の正面部のほぼ中央に突設される突状外装部と、この突状外装部に嵌められ撮影レンズユニットが着脱自在な円環状のマウント板と、このマウント板の連結面から突出する方向に付勢され撮影レンズユニットを所定位置で係止するためのマウントロックピンと、マウントロックピンを連結面から退避させる方向に駆動するためのロック解除ボタンとを備え、このロック解除ボタンが突状外装部の外周側面であってかつ突状外装部のレンズ光軸から最も水平距離の遠い部位よりもレンズ光軸側に配されることを最も主要な特徴とする。
【０００７】
上記カメラのマウントロック装置において、ロック解除ボタンの操作方向が、撮影レンズユニットの光軸に直交する平面に平行であることが好ましい。また、ロック解除ボタンが、リンク機構を介してオートフォーカス用のレンズ駆動ピンに連結されてもよく、さらにリンク機構が、オートフォーカスモードまたはマニュアルフォーカスモードのいずれか一方に切換える切換手段を備えてもよい。
【０００８】
本発明に係るカメラは、カメラ本体の正面部のほぼ中央に突設される突状外装部と、この突状外装部に嵌められ撮影レンズユニットが着脱自在な円環状のマウント板と、このマウント板の連結面から突出する方向に付勢され撮影レンズユニットを所定位置で係止するためのマウントロックピンと、マウントロックピンを連結面から退避させる方向に駆動するためのロック解除ボタンとを有するマウントロック機構を備え、このロック解除ボタンが突状外装部の外周側面であってかつ突状外装部のレンズ光軸から最も水平距離の遠い部位よりもレンズ光軸側に配されることを特徴とする。
【０００９】
【発明の実施の形態】
以下、本発明の実施形態について添付図面を参照して説明する。
【００１０】
図１は、本実施形態のマウントロック装置が適用されたカメラを示す図であって、撮影レンズユニットを取り外した状態を示す正面図である。図２は、カメラの突状外装部を部分的に示す斜視図である。なお、図２に示す突状外装部において本実施形態のマウントロック装置に直接関係のない構成は省略される。
【００１１】
カメラは略箱状のカメラ本体１０を備え、このカメラ本体１０の正面部の略中央には卵形の突状外装部１２が一体的に組付けられ、カメラ本体１０の図１中左方にはグリップ部１４が設けられる。これらはそれぞれ合成樹脂により一体成型される。突状外装部１２はカメラ本体１０内に収容されるミラーボックス（図２中、輪郭のみを実線で示す）と一体的に構成されており、カメラ正面に向かって開口した円形開口１３を備えている。円形開口１３の開口側端面部は撮影レンズユニットを装着するためのマウント部１５として構成され、このマウント部１５には撮影レンズユニットの光軸Ｌ（以下、レンズ光軸Ｌと記載する）を中心とする円環状のマウント板１６が嵌められて５個のネジ１８ａ〜ｅによりねじ止めされる。このマウント板１６に対して図示しない撮影レンズユニットがバヨネット式で着脱自在であり、マウント板１６の内周面には撮影レンズユニットに形成した複数のバヨネット爪（図示せず）と同数、本実施形態では３つのバヨネット爪係止部１７が円周方向に等間隔に突設される。
【００１２】
なお、マウント板１６を正面から見ると、ネジ１８ａは円形開口１３の中心に一致するレンズ光軸Ｌと略同じ水平位置であってマウント板１６の図中右方側に配されている。ネジ１８ｄはネジ１８ａの点対称の位置即ちレンズ光軸Ｌと略同じ水平位置であってマウント板１６の図中左方側に配され、ネジ１８ａとネジ１８ｄとの間であって図中上方側に２つのネジ１８ｂおよび１８ｃが反時計周り順に略等間隔で配される。ネジ１８ｅはネジ１８ａとネジ１８ｄとの間であって図中下方側の略中間に配される。
【００１３】
マウント板１６には、ネジ１８ａ〜ｅに対応した５個のネジ穴２０や、カメラ本体１０と撮影レンズユニットとの間の電力供給やデータ送受信のための複数の電気接点２２の他に、撮影レンズユニットを所定回転位置に位置決めするためのマウントロックピン１０２を挿通するピン穴２４と、撮影レンズユニットに内蔵されたオートフォーカス用のレンズ駆動機構（図示せず）とカメラ本体１０に内蔵されたモータの駆動軸（図示せず）とを連結するためのレンズ駆動ピン１０４を挿通するピン穴２６とが形成される。電気接点２２はネジ１８ｄとネジ１８ｅとの間であってネジ１８ｅ側に寄って複数個配され、マウントロックピン１０２は最もネジ１８ｄに近い電気接点２２とネジ１８ｄとの間に配される。レンズ駆動ピン１０４は２つのネジ１８ａおよび１８ｅの略中間に配される。
【００１４】
マウントロックピン１０２およびレンズ駆動ピン１０４はそれぞれ軸心がレンズ光軸Ｌに平行となるように突状外装部１２に設けられて、軸心方向に沿って即ちレンズ光軸Ｌに平行に相対移動自在である。マウントロックピン１０２およびレンズ駆動ピン１０４は通常図１の紙面後方からバネ付勢されてマウント板１６の円環状連結面１６ｂから突出しているが、撮影レンズユニットの着脱に際して撮影レンズユニットの相対回転を許容するように、連結面１６ｂから退避した位置に引っ込めることができる。
【００１５】
カメラ本体１０を正面から見たときの突状外装部１２の形状は略卵形を呈している。詳しくは、図１の上下方向に関して、突状外装部１２は上端面から下方の円形開口１３の中心を通るレンズ光軸Ｌに向かってその横幅が漸増し、レンズ光軸Ｌ付近で最も横幅が大きくなり、レンズ光軸Ｌから下端面に向かって横幅は漸減する。突状外装部１２の側面において図１中左斜め下の部位にはロック解除ボタン１０６が設けられており、ロック解除ボタン１０６をレンズ光軸Ｌに向かう方向（図１中矢印Ａで示す）に押圧すると、マウントロックピン１０２およびレンズ駆動ピン１０４の双方を同時に連結面１６ｂから退避させることができる。
【００１６】
カメラ本体１０において、ロック解除ボタン１０６は突状外装部１２の水平方向（図１の左右方向）に最も張り出した位置よりもレンズ光軸Ｌ側に寄った位置に設けられている。言い換えると、レンズ光軸Ｌからロック解除ボタン１０６の水平方向距離Ｄｂは、突状外装部１２のレンズ光軸Ｌから最も離れた外縁部までの水平方向距離Ｄｍａｘよりも短く、レンズ光軸Ｌから最も水平距離の遠い部位よりもレンズ光軸Ｌ側に配される。従って、図１中左方のグリップ部１４を手で保持した時に指がロック解除ボタン１０６に干渉することがなく、ロック解除ボタン１０６の誤操作が回避でき、また操作者に不快感を与えない。さらに、ロック解除ボタン１０６の操作方向はレンズ光軸Ｌに平行ではなくレンズ光軸Ｌに略垂直であるため、指でカメラ本体１０を正面側から把持したとしてもレンズ光軸Ｌに実質的に平行な指の押圧方向と操作方向とが一致せず、ロック解除ボタン１０６の誤操作が避けられる。さらに、右手でカメラ本体１０を保持した状態のまま、左手で撮影レンズユニットを下方から支持しつつロック解除ボタン１０６を操作し、レンズ交換することができるため、レンズ交換が容易に行える。なお、操作方向はレンズ光軸Ｌに垂直でなくてもよく、操作方向がレンズ光軸Ｌに垂直な平面に平行であればよい。
【００１７】
突状外装部１２の側面において図１中右斜め下の部位にはモード切換レバー１０８が設けられており、モード切換レバー１０８が図１に示す位置にあるときオートフォーカスモードが選択され、撮影レンズユニットがマウント部１５に装着されるとレンズ駆動ピン１０４を介して撮影レンズユニットのレンズ駆動機構とカメラ本体１０のモータ駆動軸とが自動的に連結される。モード切換レバー１０８を突状外装部１２の側面に沿って図１に示す位置から上方にスライドさせてマニュアルフォーカスモードに切換えられると、このとき撮影レンズユニットが突状外装部１２に装着されていても、レンズ駆動ピン１０４のみが連結面１６ｂから退避させられて、レンズ駆動機構とモータ駆動軸とは連結されない。
【００１８】
図２〜図５を参照して本実施形態のマウントロック機構について説明する。図３はマウントロック機構の分解斜視図である。図４はマウントロック機構を構成する第１回転レバー１１０の平面図であり、図５はその側面図である。
【００１９】
マウントロック機構は、上述したマウントロックピン１０２およびロック解除ボタン１０６と、これら両者を連係する第１回転レバー１１０および連係部材１１２と、マウントロックピン１０２を軸心方向に付勢するバネ１１４とを備える。またさらに、マウントロック機構は第１回転レバー１１０とレンズ駆動ピン１０４とを連係する第２回転レバー１１６と、レンズ駆動ピン１０４を軸心方向に付勢するバネ１１８とを備える。上記モード切換レバー１０８は第２回転レバー１１６の一端部に係合する。
【００２０】
図４および図５を参照すると、第１回転レバー１１０は、細長の平板部材を突状外装部１２の円環状側面に沿うように階段状に形成してなり、その中央平板部１２０は軸部材１２２によりマウント部１５の側面にビス１１５で一体固定された支持部材１１７に対して回転自在に固定される。軸部材１２２の軸心即ち第１回転レバー１１０の回転軸心Ｒ１はレンズ光軸Ｌに対して略垂直である。中央平板部１２０からマウントロックピン１０２に向かって延びた二股平板部１２４はその先端の二股部分において、マウントロックピン１０２に嵌合固定された連係部材１１２の先端を挟むように係合している。二股平板部１２４は中央平板部１２０に対して平行かつ段差を有している。中央平板部１２０は二股平板部１２４の反対側にさらに延び、その図４中左側の側面から傾斜板部１２６が延びている。傾斜板部１２６は中央平板部１２０に対してレンズ光軸Ｌに向かうように傾斜しており、この傾斜板部１２６にロック解除ボタン１０６の先端部１０６ａが当接する。なお、図４ではロック解除ボタン１０６の先端部１０６ａの位置を一点鎖線で示し、図５ではロック解除ボタン１０６を一点鎖線で示している。
【００２１】
ロック解除ボタン１０６の軸心は回転軸心Ｒ１に平行であり、ロック解除ボタン１０６をその軸心に沿ってレンズ光軸Ｌに向かって（押圧方向を矢印Ａで示す）押圧すると、先端部１０６ａが斜面板部１２６を滑りつつこれを押圧し、これにより第１回転レバー１１０は回転軸心Ｒ１を中心として図の反時計周りに回転する。このとき、二股平板部１２４が矢印Ｂで示す反時計周り方向に回転することによって、二股平板部１２４に係合する連係部材１１２がレンズ光軸Ｌに平行な矢印Ｃで示す方向に沿って即ち突状外装部１２の奥側に向かって移動させられ、マウントロックピン１０２はバネ１１４の付勢力に抗して矢印Ｃで示す方向に相対移動し、連結面１６ｂから退避する。
【００２２】
次に、ロック解除ボタン１０６とレンズ駆動ピン１０４とを連結するリンク機構について説明する。図３〜図５に示すように、第１回転レバー１１０は、さらに中央平板部１２０から二股平板部１２４の反対側に延びた連係板部１２８を備え、この連係板部１２８は中央平板部１２０に対して平行かつ段差を有している。連係板部１２８には円柱突起１３０が一体的に設けられており、この円柱突起１３０の側面に第２回転レバー１１６が当接する。
【００２３】
図２および図３を参照すると、第２回転レバー１１６は軸部材１３２により突状外装部１２の水平な底面に対して回転自在に固定される。軸部材１３２の軸心即ち第２回転レバー１１６の回転軸心Ｒ２はレンズ光軸Ｌに対して略垂直である。第２回転レバー１１６は水平に延びる細長の取付平板部１３４と、この取付平板部１３４の図３中左方の端部からレンズ光軸Ｌ側に曲折された係合板部１３６と、取付平板部１３４の図３中右方の端部に取付けられてレンズ光軸Ｌに垂直な嵌合板部１３８とを備える。係合板部１３６は円柱突起１３０の側面にカメラ前方即ち図２の右上から左下に向かう方向から当接している。レンズ駆動ピン１０４はバネ１１８によりマウント板１６の連結面１６ｂから突出する方向に付勢されるとともに、バネ１１８の反対側に第２回転レバー１１６の嵌合板部１３８が嵌合している。
【００２４】
ロック解除ボタン１０６が矢印Ａ方向に押し込まれると、第１回転レバー１１０が反時計周りに回転し、その一部である円柱突起１３０によって係合板部１３６はカメラ前方へ付勢される。このとき、第２回転レバー１１６は回転軸心Ｒ２周りに図の時計回り方向（図２中矢印Ｅで示す）へ回転し、係合板部１３６の反対側の端部である嵌合板部１３８はレンズ光軸Ｌに平行であって突状外装部１２の奥に向かう方向（図２中矢印Ｆで示す）に相対移動する。レンズ駆動ピン１０４はバネ１１８の付勢力に抗して矢印Ｆで示す方向に相対移動し、連結面１６ｂから退避する。
【００２５】
以上のように、本実施形態においてはロック解除ボタン１０６を矢印Ａ方向に押し込むと第１回転レバー１１０、連係部材１１２および第２回転レバー１１６の協動によって、マウントロックピン１０２およびレンズ駆動ピン１０４の双方を連動して同時に連結面１６ｂから退避させることができ、これによりロック状態が解除されて撮影レンズユニットの着脱が許容される。また押したロック解除ボタン１０６を手放すと、マウントロックピン１０２およびレンズ駆動ピン１０４はそれぞれ対応するバネ１１４および１１８の弾性力によって連結面１６ｂから突出する元の位置に自動復帰し、撮影レンズユニットが装着されていれば撮影レンズユニットは所定位置で係止される。
【００２６】
撮影レンズユニットを突状外装部１２に装着する際には、撮影レンズユニット側の連結面がマウントロックピン１０２を押圧し、マウントロックピン１０２はバネ１１４の付勢力に抗してレンズ光軸Ｌと平行な矢印Ｃ方向に相対移動する、即ち連結面１６ｂから退避する。これにより、マウントロックピン１０２と一体的な連係部材１１２が矢印Ｃ方向に相対移動させられ、連係部材１１２を挟んだ第１回転レバー１１０の二股平板部１２４が矢印Ｃ方向に押され、第１回転レバー１１０は回転軸心Ｒ１を中心に反時計回りに回転する。
【００２７】
なお、第２回転レバー１１６の嵌合板部１３８の下端にはレンズ光軸Ｌに向かう方向に傾斜した斜面板部１４０が一体的に設けられ、図２に示すようにこの斜面板部１４０にはモード切換レバー１０８の一部が突状外装部１２の下方側から当接している。モード切換レバー１０８が図１に示す下側のオートフォーカスモード位置に位置決めされかつロック解除ボタン１０６が操作されていないときには、レンズ駆動ピン１０４は連結面１６ｂから突出し、撮影レンズユニットのレンズ駆動機構とカメラ本体１０のモータ駆動軸とが連結され得る。モード切換レバー１０８が上方のマニュアルフォーカスモード位置にスライドさせられると、モード切換レバー１０８が斜面板部１４０を滑りつつこれを押圧し、第２回転レバー１１６が図２中矢印Ｅで示す方向へ回転し、レンズ駆動ピン１０４は連結面１６ｂから退避させられる。従って、マニュアルフォーカスモードにおいては、ロック解除ボタン１０６の操作の有無に関わらずレンズ駆動機構とモータ駆動軸とは連結されない。
【００２８】
従来のマウントロック機構では、マウントロックピン（１０２）はレンズ光軸Ｌに垂直な平板部材を介してマウントロック解除ボタン（１０６）に連結されており、マウントロック解除ボタン（１０６）をレンズ光軸Ｌに沿って押圧すると平板部材の一端部が押し込まれ、平板部材の他端部に連結されたマウントロックピン（１０２）がレンズ光軸Ｌに沿って退避させられていた。このような従来の構成では、マウントロックピン（１０２）を退避させるのに必要な力と同じだけの力でマウントロック解除ボタン（１０６）を押圧しなければならず、マウントロックピン（１０２）を連結面から確実に退避させるためには平板部材即ちマウントロック解除ボタン（１０６）とマウントロックピン（１０２）との距離を長くすることができず、マウントロックピン（１０２）が設計上所定の位置に定められる以上、マウントロック解除ボタン（１０６）の位置も自由度がないという問題があった。しかしながら、本実施形態のマウントロック機構においては、マウントロックピン１０２とマウントロック解除ボタン１０６とを連結する部材としてレンズ光軸Ｌに垂直な回転軸心Ｒ１周りに回転する第１回転レバー１１０を用いており、この第１回転レバー１１０は長さを自由に設定することができる。なぜなら、マウントロックピン１０２（連係部材１１２）から回転軸心Ｒ１までの距離とマウントロック解除ボタン１０６から回転軸心Ｒ１までの距離との比によってのみ、マウントロックピン１０２の退避に必要な力とマウントロック解除ボタン１０６の押圧力とのバランスを変えることができるためである。従って、第１回転レバー１１０は長さを自由に設定することができることから、マウントロックピン１０２に対するマウントロック解除ボタン１０６の相対位置の自由度は極めて向上し、本実施形態のようにマウントロックピン１０２が垂直方向に関してマウント板１６の中央に近い位置にあっても、マウントロック解除ボタン１０６を相対的に突状外装部１２の下方位置即ち把持する手に干渉しない位置に設けることができる。
【００２９】
【発明の効果】
以上説明したように本発明のカメラのマウントロック装置は、ロック解除ボタンの誤操作を防止できるという利点がある。
【図面の簡単な説明】
【図１】本発明の実施形態に係るマウントロック機構を備えたカメラの正面図であって、撮影レンズユニットを取り外した状態を示す図である。
【図２】図１に示すカメラの突状外装部およびマウント板を示す分解斜視図である。
【図３】マウントロック機構の分解斜視図である。
【図４】マウントロック機構のレバー部材を示す平面図である。
【図５】マウントロック機構のレバー部材を示す側面図である。
【符号の説明】
１０  カメラ本体
１２  突状外装部
１５  マウント部
１６  マウント板
１０２  マウントロックピン
１０６  ロック解除ボタン
【図１】
2004219462.tif 000003
【図２】
2004219462.tif 000004
【図３】
2004219462.tif 000005
【図４】
2004219462.tif 000006
【図５】
2004219462.tif 000007